(57)【要約】【課題】清掃し難い回収槽を設置することなく溢れ水を管理できる入浴水循環ろ過システムを提供する。【解決手段】入浴槽の周縁部に溢水調整溝を設け、入浴槽内及び溢水調整溝内の水をろ過し入浴槽へ還水する。溢水調整溝には細孔などによって通水可能な蓋を取り外し可能に取り付けてあり、入浴槽と同様に清掃が可能である。前記入浴槽及び前記溢水調整溝には水位計を備え、配管中には流路を切り替えるための制御可能な弁を設けることで、水位や時間により各弁を開閉して、ろ過、逆洗浄、補給水、排水を制御する。【選択図】図１
2020104089.tif 000002
【特許請求の範囲】
【請求項１】
浴槽又はプールのいずれかである入浴槽と、
入浴水を浄化するためのろ過装置と、
前記入浴槽の底部に設けた吸込口より入浴水を流通させ前記ろ過装置へ至るろ過管と、
前記ろ過装置より前記入浴槽の側壁に設けた吐出口へ至る還流管と、
水量を補うため用いる補給水装置と
を備える入浴水循環ろ過システムであって、
前記入浴槽に第一の水位計を設け、
更に、前記入浴槽の周縁部に、第二の水位計を備え前記入浴槽上縁からの溢水を受容する溢水調整溝を、前記入浴槽と内部が開口部や配管で接続しないよう設ける
とともに、
前記ろ過管の途中に制御可能な第一の調整弁を設け、
前記溢水調整溝の底部に設けた吸込口に接続し前記ろ過管と合流する配管である溢水管の途中に制御可能な第二の調整弁を設け、
前記補給水装置とろ過管とを接続する配管である補給水管の途中に制御可能な第三の調整弁を設け、
排水管途中に制御可能な第四の調整弁を設けており、
前記第一の水位計により前記入浴槽の渇水を検知すれば、前記制御可能な第三の調整弁を開き制御可能な第一の調整弁、制御可能な第二の調整弁、制御可能な第四の調整弁を閉じて水を補給し、水位が一定以上となれば前記制御可能な第三の調整弁を閉じる制御と、
前記第二の水位計により前記溢水調整溝の水位が一定以上となったことを感知すれば、前記制御可能な第二の調整弁を開き前記ろ過装置の運転を開始するとともに前記制御可能な第三の調整弁を開き補給水を開始する制御と、
一定時間経過するごとに前記制御可能な第二の調整弁を閉じ前記制御可能な第一の調整弁を開放することで前記入浴槽内の水をろ過するよう流路を切り替え、また一定時間後に前記制御可能な第一の調整弁を閉じ前記制御可能な第二の調整弁を開放することで前記溢水調整溝内の水をろ過するよう流路を切り替える制御と、
前記第一の水位計と前記第二の水位計とで検知される全体の水位が一定以上となったときは前記制御可能な第四の調整弁を開放し、全体の水位が一定以下となったときは前記制御可能な第四の調整弁を閉じて一部を排水する制御と、
前記ろ過装置の逆洗浄時は、前記制御可能な第二の調整弁を閉じ前記制御可能な第一の調整弁を開いて入浴水のみを洗浄に利用する制御と
を備えることを特徴とする、入浴水循環ろ過システム。
【請求項２】
入浴槽と、
前記入浴槽の周縁部にあり、前記入浴槽の底面と連続する底面と外周部に外壁を持つ溢水調整部と、前記入浴槽の内壁である第一の側壁と前記溢水調整部の外壁である第三の側壁との間に第二の側壁を設けることで形成される配管配線空間とを持つ溢水調整部付入浴槽であって、
前記入浴槽の底面にはろ過管接続口を設け、
前記第一の側壁に第一の水位計を前記入浴槽の水位を測定する向きで設けるとともに、
前記第一の水位計の配線接続口を前記配管配線空間の底部に設け、
前記配管配線空間の底面に還流管接続口を設けるとともに
前記還流管接続口と前記第一の側壁に設けた還流口とを接続する配管とを設け、
前記第二の側壁に第二の水位計を前記溢水調整部の水位を測定する向きで設けるとともに、前記溢水調整部の底面には溢水管接続口を設けており、
前記第一の水位計の配線接続口を前記配管配線空間の底部に設け、
前記第一の側壁と前記第二の側壁との上端を閉塞し前記配管配線空間内に入浴水が流入しないようにするとともに
前記配管配線空間の底面に保守点検口を設け、
前記第二の側壁と前記第三の側壁との夫々対向する面の上端に設けられる係止手段により前記溢水調整部を通水可能かつ容易に取り外し可能な蓋を設置する溢水調整部用蓋部をもつことを特徴とする、溢水調整部付入浴槽。
【請求項３】
浴槽又はプールのいずれかである入浴槽と、
入浴水を浄化するためのろ過装置と、
前記入浴槽の底部に設けた吸込口より入浴水を流通させ前記ろ過装置へ至るろ過管と、
前記ろ過装置より前記入浴槽の側壁に設けた吐出口へ至る還流管と、
水量を補うため用いる補給水装置と
を備える入浴水循環ろ過システムであって、
前記入浴槽に第一の水位計を設け、
更に、前記入浴槽の周縁部に、第二の水位計を備え前記入浴槽上縁からの溢水を受容する溢水調整溝を、前記入浴槽と内部が開口部や配管で接続しないよう設ける
とともに、
前記ろ過管の途中に制御可能な第一の調整弁を設け、
前記溢水調整溝の底部に設けた吸込口に接続し前記ろ過管と合流する配管である溢水管の途中に制御可能な第二の調整弁を設け、
前記補給水装置と溢水調整溝とを接続する配管である補給水管の途中に制御可能な第三の調整弁を設け、
排水管途中に制御可能な第四の調整弁を設けており、
前記第一の水位計により前記入浴槽の渇水を検知すれば、前記制御可能な第三の調整弁を開き制御可能な第一の調整弁、制御可能な第二の調整弁、制御可能な第四の調整弁を閉じて水を補給し、水位が一定以上となれば前記制御可能な第三の調整弁を閉じる制御と、
前記第二の水位計により前記溢水調整溝の水位が一定以上となったことを感知すれば、前記制御可能な第二の調整弁を開き前記ろ過装置の運転を開始するとともに前記制御可能な第三の調整弁を開き補給水を開始する制御と、
一定時間経過するごとに前記制御可能な第二の調整弁を閉じ前記制御可能な第一の調整弁を開放することで前記入浴槽内の水をろ過するよう流路を切り替え、また一定時間後に前記制御可能な第一の調整弁を閉じ前記制御可能な第二の調整弁を開放することで前記入浴槽内の水をろ過するよう流路を切り替える制御と、
前記第一の水位計と前記第二の水位計とで検知される全体の水位が一定以上となったときは、前記制御可能な第四の調整弁を開放して一部を排水する制御と
、
前記ろ過装置の逆洗浄時は、前記制御可能な第二の調整弁を閉じ前記制御可能な第一の調整弁を開いて入浴水のみを洗浄に利用する制御と
を備えることを特徴とする、入浴水循環ろ過システム。
【請求項４】
入浴槽と、
前記入浴槽の周縁部にあり、前記入浴槽の底面と連続する底面と外周部に外壁を持つ溢水調整部と、前記入浴槽の内壁である第一の側壁と前記溢水調整部の外壁である第三の側壁との間に第二の側壁を設けることで形成される配管配線空間とを持つ溢水調整部付入浴槽であって、
前記入浴槽の底面にはろ過管接続口を設け、
前記第一の側壁に第一の水位計を前記入浴槽の水位を測定する向きで設けるとともに、
前記第一の水位計の配線接続口を前記配管配線空間の底部に設け、
前記配管配線空間の底面に、還流管接続口を設けるとともに
前記還流管接続口と前記第一の側壁に設けた還流口とを接続する配管とを設け、
前記第二の側壁に第二の水位計を前記溢水調整部の水位を測定する向きで設けるとともに、前記溢水調整部の底面には溢水管接続口を設けており、
前記第二の側壁に更に補給水口と溢水排水口とを補給水口が適切な寸法分上方になるよう設けるとともに、
前記配管配線空間の底面に設けた補給水管接続口と溢水排水管接続口とに、前記補給水口と前記補給水管接続口、前記溢水排水口と前記溢水排水管接続口が夫々接続されるよう配管してあり、
前記第一の水位計の配線接続口を前記配管配線空間の底部に設け、
前記第一の側壁と前記第二の側壁との上端を閉塞し前記配管配線空間内に入浴水が流入しないようにするとともに
前記配管配線空間の底面に保守点検口を設け、
前記第二の側壁と前記第三の側壁との夫々対向する面の上端に設けられる係止手段により前記溢水調整部を通水可能かつ容易に取り外し可能な蓋を設置する溢水調整部用蓋部をもつことを特徴とする、溢水調整部付入浴槽。
【請求項５】
入浴槽と、
前記入浴槽の周縁部にあり、前記入浴槽の底面と連続する底面と外周部に外壁を持つ溢水調整部と、前記入浴槽の内壁である第一の側壁と前記溢水調整部の外壁である第三の側壁との間に第二の側壁を設けることで形成される配管配線空間とを持つ溢水調整部付入浴槽であって、
前記入浴槽の底面にはろ過管接続口を設け、
前記第一の側壁に第一の水位計を前記入浴槽の水位を測定する向きで設けるとともに、
前記第一の水位計の配線接続口を前記配管配線空間の底部に設け、
前記配管配線空間の底面に、還流管接続口を設けるとともに
前記還流管接続口と前記第一の側壁に設けた還流口とを接続する配管とを設け、
前記第二の側壁に第二の水位計を前記溢水調整部の水位を測定する向きで設けるとともに、前記溢水調整部の底面には溢水管接続口を設けており、
前記第二の側壁に更に補給水口を設け、前記配管配線空間の底面に設けた補給水管接続口に接続されるよう配管してあり、
前記溢水調整部の底部に溢水排水管接続口を設け、前記溢水排水管接続口に上端が前記補給水口より適切な寸法分下になるよう設定された縦管である溢水排水管を接続し、
前記第一の水位計の配線接続口を前記配管配線空間の底部に設け、
前記第一の側壁と前記第二の側壁との上端を閉塞し前記配管配線空間内に入浴水が流入しないようにするとともに
前記配管配線空間の底面に保守点検口を設け、
前記第二の側壁と前記第三の側壁との夫々対向する面の上端に設けられる係止手段により前記溢水調整部を通水可能かつ容易に取り外し可能な蓋を設置する溢水調整部用蓋部をもつことを特徴とする、溢水調整部付入浴槽。
【請求項６】
浴槽又はプールのいずれかである入浴槽と、
入浴水を浄化するためのろ過装置と、
前記入浴槽の底部に設けた吸込口より入浴水を流通させ前記ろ過装置へ至るろ過管と
前記ろ過装置より前記入浴槽の側壁に設けた吐出口へ至る還流管と
水量を補うため用いる補給水装置と
を備える入浴水循環ろ過システムの制御方法であって、
前記入浴槽に設けられた第一の水位計と、
前記入浴槽の周縁部に設けられ前記入浴槽上縁からの溢水を受容する溢水調整溝に設けられた第二の水位計とにより検知された水位によって、
前記ろ過管の途中に設けられた制御可能な第一の調整弁と、
前記溢水調整溝の底部に設けた吸込口に接続し前記ろ過管と合流する配管である溢水管の途中に設けられた制御可能な第二の調整弁と、
前記補給水装置から前記入浴水循環ろ過システムへ水を補給する配管である補給水管の途中に設けられた制御可能な第三の調整弁と、
排水管途中に設けられた制御可能な第四の調整弁との開閉を制御し、
具体的には、
前記制御可能な第一の調整弁、制御可能な第二の調整弁、制御可能な第三の調整弁、制御可能な第四の調整弁を閉じた状態から、
前記第一の水位計により渇水が検知されたときは、前記制御可能な第三の調整弁を開放して補給水を行い、
前記第一の水位計により満水が検知されたときは、前記制御可能な第三の調整弁を閉じて補給水を止め、
入浴等により入浴水が前記溢水調整溝に流入したことを前記第二の水位計により検知したときは、前記制御可能な第二の調整弁を開放し前記ろ過装置を運転して前記溢水調整溝内の水をろ過するとともに前記制御可能な第三の調整弁を開放して補給水を行うとともに、一定時間経過するごとに前記制御可能な第二の調整弁を閉じ前記制御可能な第一の調整弁を開放することで前記入浴槽内の水をろ過するよう流路を切り替え、また一定時間後に前記制御可能な第一の調整弁を閉じ前記制御可能な第二の調整弁を開放することで前記入浴槽内の水をろ過するよう流路を切り替える制御と、
前記第一の水位計と前記第二の水位計とで検知される全体の水位が一定以上となったときは、前記制御可能な第四の調整弁を開放して一部を排水する制御と、
前記ろ過装置の逆洗浄時は、前記制御可能な第二の調整弁を閉じ前記制御可能な第一の調整弁を開いて入浴水のみを洗浄に利用する制御と
を備えることを特徴とする、入浴水循環ろ過システムの制御方法。
【請求項７】
前記水位計が圧力感知式水位計であることを特徴とする、請求項１又は請求項３に記載の入浴水循環ろ過システム。
【請求項８】
前記水位計が圧力感知式水位計であることを特徴とする、請求項２又は請求項４又は請求項５に記載の溢水調整部付入浴槽。
【請求項９】
前記水位計が圧力感知式水位計であることを特徴とする、請求項６に記載の入浴水循環ろ過システムの制御方法。
【発明の詳細な説明】
【技術分野】
【０００１】  本発明は、浴槽又はプールのいずれかに用いる循環ろ過システムに関する。
【背景技術】
【０００２】  以下、本明細書では浴槽又はプールを入浴槽と表し、入浴槽内にあり浴用又は遊泳用に供される湯又は水を入浴水と表すこととする。また、前記入浴槽で入浴又は遊泳する利用者を入浴者と表す。【０００３】  入浴槽に用いられる循環ろ過システムでは、以前は溢れ水を回収してろ過し、再び用いるための回収槽が設けられることが多くあった。しかし、回収槽は専門業者への清掃依頼費用がかかったり、建築物の地下に埋設されていたりなどで清掃が容易でないことから定期的な清掃を行わない施設があり、レジオネラ属菌などの有害な細菌類の温床となることがあった。このため、自治体によっては条例で設置が禁止されている。【０００４】  一方で、施設側は運営費用を削減したいとの要望から、溢れ水を排水してしまうことに抵抗を持つ場合が多い。溢れ水を排水すると、排水にかかる下水道料金だけでなく、補給のための上水道又は温泉水利用料金、排水潜熱が失われることによる燃料費もかかるためである。
【発明の概要】
【発明が解決しようとする課題】
【０００５】  そこで本発明は、清掃し難い回収槽を設置することなく溢れ水を管理できる入浴水循環ろ過システムを提供することを目的とする。
【課題を解決するための手段】
【０００６】  以上の課題を解決するため、本発明は、入浴槽の周縁部に溢れ水を受ける溢水調整溝を設ける。前記溢水調整溝には、入浴者が侵入できないよう、細孔などによって通水可能な蓋を、取り外し可能に取り付ける。前記溢水調整溝には、前記通水可能な蓋からのみ流入し、前記入浴槽と前記溢水調整溝との間に連通部を設けない。これは、連通部は清掃し難くレジオネラ属菌等の温床となりやすいためである。【０００７】  前記入浴槽及び前記溢水調整溝には、水位計を設ける。電極式水位計では連通管が必要になるため、段落番号０００６と同じ理由で圧力感知式水位計を採用する。前記入浴槽と前記溢水調整溝との底部にはろ過装置へ通じる配管が接続されており、前記入浴槽の底部と接続しているろ過管と前記溢水調整溝の底部と接続している溢水管との合流地点よりも夫々の槽に近い側に、調整弁として電動弁を設ける。特許請求の範囲に於いては、ろ過管に設けられた電動弁を制御可能な第一の調整弁、溢水管に設けられた電動弁を制御可能な第二の調整弁と表している。また、水張り時や水位が下がったときに水を補給するための補給水装置をもち、前記補給水装置からの補給水流量を調整するための電動弁を、制御可能な第三の調整弁として設ける。前記ろ過管及び前記溢水管の合流地点からろ過装置へ至る配管の途中には排水用の分岐を設け、前記分岐より排水側に排水制御用の電動弁を設ける。この電動弁は、制御可能な第四の調整弁と表す。【０００８】  設備の使用開始時や清掃などで、前記第一の圧力感知式水位計により前記入浴槽の渇水を検知したときは、前記制御可能な第三の調整弁を開き前記制御可能な第一の調整弁、前記制御可能な第二の調整弁、前記制御可能な第四の調整弁を閉じることで水を補給する。水位が一定以上となったことを前記第一の圧力感知式水位計が検知したときは、前記制御可能な第三の調整弁を閉じる。【０００９】  入浴者があると、水位の上昇や波立ちによって入浴水が溢れる。本発明では、溢れた入浴水は、入浴槽の周縁部に設けられた溢水調整溝へ流入する。使用開始時は、前記溢水調整溝の水位が一定以上となったときにろ過を開始する。【００１０】  通常のろ過時は、前記溢水調整溝からの水をろ過装置を通してろ過し、前記入浴槽へ還水する。このとき、水位を保つためとろ過だけでは浄化できない過マンガン酸カリウム消費量などの水質を保つため、前記制御可能な第三の調整弁を開いて前記補給水装置より補給する。また、全体の水位が上昇した場合は、制御可能な第四の調整弁を開いて一部を排水し水位を調整する。【００１１】  ろ過装置の逆洗浄時は、前記制御可能な第一の調整弁を開き前記制御可能な第二の調整弁を閉じることで、入浴水のみを使用する。これは、水量と、溢れ水には入浴水に浮いた有機物等の汚れが多く含まれるため入浴水の方が比較的清浄であることが理由である。【００１２】  ここで、本来条例等で回収槽の設置が禁止されている理由は清掃が容易でないことであった。本発明では、溢水調整溝は入浴槽の周縁部にあるため、入浴槽の清掃時に併せて実施することができる。構造も入浴槽と変わらないため、前記溢水調整溝用蓋部を取り外し、入浴槽の清掃と同じ方法で清掃する。
【発明の効果】
【００１３】  本発明を実施すると、清掃し難い回収槽を設置することなく溢れ水を管理できる入浴水循環ろ過システムを提供することができる。
【図面の簡単な説明】
【００１４】
【図１】  図１は、本発明の代表的な実施形態である。
【図２】  図２は、図１の実施形態の一部切欠き斜視図である。
【図３】  図３は、溢水調整溝一体型の入浴槽の一部切欠き斜視図である。
【図４】  図４は、図３の実施形態のＡ−Ａ断面図である。
【図５】  図５は、溢水調整溝へ補給水を行う実施形態である。
【図６】  図６は、溢水調整溝へ補給水を行う実施形態の、溢水調整溝一体型の入浴槽の一部切欠き斜視図である。
【図７】  図７は、図６の実施形態のＢ−Ｂ断面図である。
【図８】  図８は、図７の溢水排水管の形状が異なる実施形態である。
【発明を実施するための形態】
【００１５】  以下、本発明の実施形態を図面とともに説明する。
【実施例１】
【００１６】  図１は、本発明の代表的な実施形態であり、図２は、図１の実施形態の一部切欠き斜視図である。【００１７】  符号１１１の入浴槽内部には、底面に符号１５１のろ過管、側面に符号１５５の還流管が接続されており、前記入浴槽からろ過管内を流通し、符号１２１のろ過装置によってろ過された入浴水が、前記還流管内を流通して再び前記入浴槽へ至る配管経路が形成されている。この他前記入浴槽には、符号１４１の第一の圧力感知式水位計が内部側面に設けられ、水位の変化による水圧の変動を感知し水位を測定している。図１に記載のろ過装置には、集毛器、ポンプ、ろ過装置本体のみが記載されているが、本発明の説明に必要な構成を作図するに当たり最低限の構成として記載したもので、実施の際にはこれらの他、昇温用装置や滅菌装置、滅菌用薬剤濃度制御装置等、任意のものが加わる。【００１８】  前記入浴槽の周縁部には、符号１１４の溢水調整溝が設けられる。前記入浴槽のどの位置からの溢れ水も流入できるよう、前記入浴槽を囲むよう設ける。前記溢水調整溝内部には底面に符号１５４の溢水管が接続されており、前記ろ過管と合流するよう配管されている。前記溢水管を流通する溢れ水は、前記ろ過管との合流後前記ろ過装置に至り、ろ過される。ろ過後の水は全て前記入浴槽へ還るため、前記溢水調整溝には還流管は接続されない。【００１９】  前記溢水調整溝内部にはこの他、符号１４４の第二の圧力感知式水位計が内部側面に設けられ、水位の変化による水圧の変動を感知し水位を測定している。また、前記溢水調整溝には通常入浴者が侵入しないよう、符号１２４の溢水調整溝用蓋部が取り付けられている。前記溢水調整溝用蓋部は、清掃時に取り外し可能なように取り付けられる。なお、前記入浴槽と前記溢水調整溝の間は配管や信号線を通す配管配線空間となっている。【００２０】  前記ろ過管と前記溢水管との合流点から見て、前記ろ過管上の、前記合流点と前記入浴槽との間には、符号１３１の制御可能な第一の調整弁を設ける。同様に、前記溢水管上で前記合流点と前記溢水調整溝との間には、符号１３４の制御可能な第二の調整弁を設ける。【００２１】  前記ろ過管の途中には、符号１２６の補給水装置からの配管、即ち、符号１５６の補給水管が合流する点がある。前記ろ過管と前記補給水管との合流点から見て、前記補給水管上の、前記合流点と前記補給水装置との間には、符号１３６の制御可能な第三の調整弁を設ける。また、排水のために前記ろ過管から排水へ至る配管である符号１５７の排水管の途中に、符号１３７の制御可能な第四の調整弁を設ける。【００２２】  設備の使用開始時や清掃などで、前記第一の圧力感知式水位計により前記入浴槽の渇水を検知したときは、前記制御可能な第三の調整弁を開き前記制御可能な第一の調整弁、前記制御可能な第二の調整弁、前記制御可能な第四の調整弁を閉じることで水を補給する。水位が一定以上となったことを前記第一の圧力感知式水位計が検知したときは、前記制御可能な第三の調整弁を閉じる。【００２３】  通常のろ過時は、前記溢水調整溝からの水をろ過装置を通してろ過し、前記入浴槽へ還水する。即ち、前記第二の圧力感知式水位計が、前記溢水調整溝への溢れ水の流入を検知した��き、前記制御可能な第一の調整弁を閉じ、前記制御可能な第二の調整弁を開くと同時に、ろ過運転を開始する。このとき、水位を保つためとろ過だけでは浄化できない過マンガン酸カリウム消費量などの水質を保つため、前記制御可能な第三の調整弁を開いて前記補給水装置より補給する。また、全体の水位が上昇した場合は、前記制御可能な第四の調整弁を開いて一部を排水し水位を調整する。【００２４】  前記入浴槽内の入浴水表面に浮いた懸濁物質は、前記溢水調整溝へ流入しろ過される。しかし、前記入浴槽の底部に沈殿する懸濁物質も存在する。このため、一定時間が経過したとき、前記制御可能な第二の調整弁を閉じ、前記制御可能な第一の調整弁を開くことで、前記入浴槽の底部の入浴水とともに底部に沈殿する懸濁物質をろ過する。また一定時間が経過したときは、前記制御可能な第一の調整弁を閉じ、前記制御可能な第二の調整弁を開いて元の状態にする。【００２５】  ろ過装置の逆洗浄時は、前記制御可能な第一の調整弁を開き前記制御可能な第二の調整弁を閉じることで、入浴水のみをろ過装置へ供給する。【００２６】  溢水調整溝の洗浄時は、前記溢水調整溝用蓋部を取り外し、入浴槽の清掃と同じ方法で清掃や配管洗浄を行う。
【実施例２】
【００２７】  図３乃至図４は、本発明を実施するに当たり施工を簡単にするための、溢水調整溝一体型の入浴槽を表している。即ち、設置場所に固定設置し、配管及び信号線の結線を行えば本発明が実施できるというものである。【００２８】  段落番号００２７の機能を実現するために、実施例２は、符号２１１で表される入浴部の外周に符号２１４の溢水調整部を設け、前記入浴部と前記溢水調整部との間に、配管や信号線を通す空間である、符号２１３の配管配線空間を設ける。【００２９】  前記入浴部の底部には、底面を貫通する孔を設け、符号２６１のろ過管接続口を形成する。前記入浴部の側壁には貫通する孔を設け、符号２１３の配管配線空間の底面を貫通する孔との間を配管した符号２５５の還流管を設ける。前記配管配線空間の底面を貫通する孔は、符号２６５の還流管接続口となる。また、符号２１４の溢水調整部の底部には、底面を貫通する孔を設け、符号２６４の溢水管接続口を形成する。【００３０】  前記入浴部の側壁には、符号２４１の第一の圧力感知式水位計が設けられ、前記第一の圧力感知式水位計の信号線は、前記配管配線空間の底面を貫通する小孔から接続できるよう配線される。また、前記溢水調整部の側壁には、符号２４４の第二の圧力感知式水位計が設けられ、前記第一の圧力感知式水位計と同様に、前記配管配線空間の底面を貫通する小孔から接続できるよう信号線が配線される。【００３１】  前記配管配線空間は、内部に入浴水が流入しないよう、上部を閉塞する。そこで、底面に符号２７３の保守点検口を設けて保守点検可能にする。前記保守点検口には蓋を設け、必要な時に開放する。図３では、第一の圧力感知式水位計付近に１箇所のみ記載しているが、前記保守点検口の大きさや本実施例全体の大きさ、配管や配線の位置等により、複数設けても良い。また、前記配管配線空間の寸法によっては、手のみが入る大きさ、人が入れる大きさなど選択できる。前記溢水調整部には符号２２４の溢水調整部用蓋部を設け、通常の使用時に内部に立ち入ることのないようにする。前記溢水調整部用蓋部には通水可能なように細孔などを設ける。前記溢水調整部用蓋部は、第二の側壁及び第三の側壁の上部溢水調整部側に段差を付ける等の係止手段を設けて取り付けてあり、清掃の際に取り外し可能である。取り外しが容易になるよう、全周または一辺を一体とするのでなく、持ち上げに支障のない程度の大きさに分割して形成することもできる。また、市販の巻き取り可能な蓋を用いることもできる。【００３２】  本実施例の発明では、配管及び配線は全て底面に接続口が設けられているため、接続箇所や未接続の接続口が容易に把握できる。設置現場では、本実施例の発明、ろ過装置、補給水装置を図１のように配管し、符号１３１乃至符号１３７の弁を設けるとともに、符号２４１乃至符号２４４の圧力感知式水位計を制御盤と配線すればよい。本実施例を利用すれば、本発明を簡単に実施できるだけてなく、予め工場で形成及び漏水試験を行った入浴槽を設置することになるため、コンクリートで建築物躯体に直接形成するよりも入浴槽自体の工期が短縮できる。
【実施例３】
【００３３】  図５は、実施例１の補給水管の接続先をろ過管に代えて溢水調整溝とした実施例である。制御可能な第三の調整弁は、符号３３６で表されており、図示外であるが補給水装置と接続されている。【００３４】  補給水を溢水調整溝とした場合、前記溢水調整溝で上水系統と溢れ水が合流することになる。ここで、上水側の配管に溢れ水が接触や逆流すると、上水系統が汚染されることになる。一般にクロスコネクションと呼ばれ、直接配管を接続することは禁止されている。そこで、本実施例の場合は、前記溢水調整溝内に符号３５８の溢水排水管を設ける。前記溢水排水管は前記補給水管より低く設けられ、溢れ水は、前記溢水排水管の高さに達すると排水されるため、前記補給水管の水位に届くことはない。符号３９６のエラー！参照元が見つかりません。は、法令、指針や各団体の定める基準等により示されている寸法を確保する。
【実施例４】
【００３５】  図６乃至図７は、実施例２に加えて、符号４５６の補給水管と符号４５８の溢水排水管とを設けたものである。いずれも符号４１３の配管配線空間に設けられており、符号４１４の溢水調整部に向かって開口している。また、前記補給水管は符号４６６の補給水管接続口に、前記溢水排水管は符号４６８の溢水排水管接続口に夫々接続されており、前記還流管と類似の構造となっている。本実施例でも、上水の汚染防止のために符号４９６で表されるエラー！参照元が見つかりません。が取られている。即ち、前記補給水管の方が前記溢水排水管より高い位置に設けられ、前記補給水管の高さまで水位が上がらないようになっている。【００３６】  段落番号００３５の溢水排水管の形状は、図８の符号５５８で示すように、直接前記溢水調整部に縦の配管を設け、溢水排水管接続口を前記溢水調整部の底部に設けることもできるが、清掃がし難くなるため、図７によって製造するのが良い。【００３７】  本実施例でも実施例２と同様に、設置現場では、本実施例の底面に設けられた配管接続口及び配線接続口と接続すれば良いため、施工が簡単である。
【産業上の利用可能性】
【００３８】  本発明は、入浴槽の循環ろ過システムを持つ施設で利用可能であり、特に、多くの水を使用する、スーパー銭湯やスパ施設等の大型入浴施設、プール等に利用すると、節水及び省エネルギーやコスト削減の効果が高い。【００３９】  入浴槽の周縁部に側溝がある場合、配管及びバルブの工事と、水位計と制御の追加工事を行うことで、既存の施設にも本発明を実施することが可能で、施設の省資源、省エネ化を実施できる。
【符号の説明】
【００４０】１１１    入浴槽
１１４    溢水調整溝
１２１    ろ過装置
１２４    溢水調整溝用蓋部
１２６    補給水装置
１３１    制御可能な第一の調整弁
１３４    制御可能な第二の調整弁
１３６    制御可能な第三の調整弁
１３７    制御可能な第四の調整弁
１４１    第一の圧力感知式水位計
１４４    第二の圧力感知式水位計
１５１    ろ過管
１５４    溢水管
１５５    還流管
１５６    補給水管
１５７    排水管
２１１    入浴部
２１３    配管配線空間
２１４    溢水調整部
２２４    溢水調整部用蓋部
２２５    還流口
２４１    第一の圧力感知式水位計
２４４    第二の圧力感知式水位計
２５５    還流管
２６１    ろ過管接続口
２６４    溢水管接続口
２６５    還流管接続口
２７１    配線接続口
２７３    保守点検口
２８１    第一の側壁
２８３    第二の側壁
２８４    第三の側壁
３３６    制御可能な第三の調整弁
３５８    溢水排水管
３９６    エラー！参照元が見つかりません。
４１３    配管配線空間
４１４    溢水調整部
４２６    補給水口
４２８    溢水排水口
４５６    補給水管
４５８    溢水排水管
４６６    補給水管接続口
４６８    溢水排水管接続口
４９６    エラー！参照元が見つかりません。
５５８    溢水排水管
【図１】
2020104089.tif 000003
【図２】
2020104089.tif 000004
【図３】
2020104089.tif 000005
【図４】
2020104089.tif 000006
【図５】
2020104089.tif 000007
【図６】
2020104089.tif 000008
【図７】
2020104089.tif 000009
【図８】
2020104089.tif 000010
【手続補正書】
【提出日】平成31年4月22日(2019.4.22)
【手続補正１】
【補正対象書類名】明細書
【補正対象項目名】００３４
【補正方法】変更
【補正の内容】
【００３４】  補給水を溢水調整溝とした場合、前記溢水調整溝で上水系統と溢れ水が合流することになる。ここで、上水側の配管に溢れ水が接触や逆流すると、上水系統が汚染されることになる。一般にクロスコネクションと呼ばれ、直接配管を接続することは禁止されている。そこで、本実施例の場合は、前記溢水調整溝内に符号３５８の溢水排水管を設ける。前記溢水排水管は前記補給水管より低く設けられ、溢れ水は、前記溢水排水管の高さに達すると排水されるため、前記補給水管の水位に届くことはない。符号３９６の吐水口空間は、法令、指針や各団体の定める基準等により示されている寸法を確保する。
【手続補正２】
【補正対象書類名】明細書
【補正対象項目名】００３５
【補正方法】変更
【補正の内容】
【００３５】  図６乃至図７は、実施例２に加えて、符号４５６の補給水管と符号４５８の溢水排水管とを設けたものである。いずれも符号４１３の配管配線空間に設けられており、符号４１４の溢水調整部に向かって開口している。また、前記補給水管は符号４６６の補給水管接続口に、前記溢水排水管は符号４６８の溢水排水管接続口に夫々接続されており、前記還流管と類似の構造となっている。本実施例でも、上水の汚染防止のために符号４９６で表される吐水口空間が取られている。即ち、前記補給水管の方が前記溢水排水管より高い位置に設けられ、前記補給水管の高さまで水位が上がらないようになっている。
【手続補正３】
【補正対象書類名】明細書
【補正対象項目名】００４０
【補正方法】変更
【補正の内容】
【００４０】１１１    入浴槽
１１４    溢水調整溝
１２１    ろ過装置
１２４    溢水調整溝用蓋部
１２６    補給水装置
１３１    制御可能な第一の調整弁
１３４    制御可能な第二の調整弁
１３６    制御可能な第三の調整弁
１３７    制御可能な第四の調整弁
１４１    第一の圧力感知式水位計
１４４    第二の圧力感知式水位計
１５１    ろ過管
１５４    溢水管
１５５    還流管
１５６    補給水管
１５７    排水管
２１１    入浴部
２１３    配管配線空間
２１４    溢水調整部
２２４    溢水調整部用蓋部
２２５    還流口
２４１    第一の圧力感知式水位計
２４４    第二の圧力感知式水位計
２５５    還流管
２６１    ろ過管接続口
２６４    溢水管接続口
２６５    還流管接続口
２７１    配線接続口
２７３    保守点検口
２８１    第一の側壁
２８３    第二の側壁
２８４    第三の側壁
３３６    制御可能な第三の調整弁
３５８    溢水排水管
３９６    吐水口空間
４１３    配管配線空間
４１４    溢水調整部
４２６    補給水口
４２８    溢水排水口
４５６    補給水管
４５８    溢水排水管
４６６    補給水管接続口
４６８    溢水排水管接続口
４９６    吐水口空間
５５８    溢水排水管